(57)【特許請求の範囲】
【請求項１】
サーバ装置と、当該サーバ装置と通信可能に接続された第１のクライアント装置及び第２のクライアント装置と、を含み、
前記サーバ装置が前記第１のクライアント装置及び前記第２のクライアント装置のそれぞれへ共有画像を送信し、当該第１のクライアント装置及び当該第２のクライアント装置のそれぞれが当該共有画像を表示するように構成された画像共有システムであって、
前記第１のクライアント装置と対応付けられた第１の電話端末と、
前記第２のクライアント装置と対応付けられた第２の電話端末と、
前記第１の電話端末と前記第２の電話端末との間の接続を制御する接続制御装置と、
被写体を撮影することによりその被写体の画像を出力する撮影手段と、当該撮影手段により出力された画像を表す画像データを送信する画像送信手段と、を有する通信端末と、
を備え、
前記通信端末は、ユーザにより入力された認証用入力情報と前記画像データとを前記サーバ装置へ送信するように構成され、
前記接続制御装置は、前記第１の電話端末と前記第２の電話端末とが接続されている場合に、当該第１の電話端末を識別するための電話端末識別情報、及び、当該第２の電話端末を識別するための電話端末識別情報の組と、当該接続を識別する接続識別情報と、を対応付けて記憶するように構成され、
前記サーバ装置は、前記認証用入力情報を受信し、当該受信された認証用入力情報に基づいて電話端末識別情報を取得し、当該取得された電話端末識別情報と対応付けて前記接続制御装置に記憶されている接続識別情報を当該接続制御装置から受信するように構成され、
前記サーバ装置は、前記通信端末から受信した前記認証用入力情報に基づいて受信された接続識別情報と、当該認証用入力情報とともに受信した前記画像データと、を対応付けて記憶するように構成され、
前記第１のクライアント装置及び前記第２のクライアント装置のそれぞれは、ユーザにより入力された認証用入力情報を前記サーバ装置へ送信するように構成され、
前記サーバ装置は、前記第１のクライアント装置及び前記第２のクライアント装置のそれぞれに対して、当該クライアント装置から受信した認証用入力情報に基づいて受信された接続識別情報と対応付けて記憶されている画像データが表す画像を前記共有画像として、当該認証用入力情報を送信してきたクライアント装置へ送信するように構成された画像共有システム。
【請求項２】
請求項１に記載の画像共有システムであって、
前記第１のクライアント装置は、前記共有画像を編集する編集情報が入力された場合、当該入力された編集情報に基づいて編集された前記共有画像を表示するとともに、当該入力された編集情報を前記サーバ装置へ送信するように構成され、
前記サーバ装置は、前記第１のクライアント装置から前記編集情報を受信した場合に当該受信した編集情報を前記第２のクライアント装置へ送信するように構成され、
前記第２のクライアント装置は、前記サーバ装置から前記編集情報を受信した場合に、当該編集情報に基づいて編集された前記共有画像を表示するように構成された画像共有システム。
【請求項３】
請求項１又は請求項２に記載の画像共有システムであって、
前記サーバ装置は、
現時点にて前記第１の電話端末と前記第２の電話端末とが接続されているか否かを表す接続状態情報を要求する旨を表す接続状態情報要求を前記接続制御装置へ送信する要求送信手段と、
前記送信した接続状態情報要求に応じて、前記接続状態情報を受信する接続状態情報受信手段と、を備えるとともに、
前記受信した接続状態情報に基づいて前記共有画像を送信するか否かを決定するように構成され、
前記接続制御装置は、
前記サーバ装置から受信した接続状態情報要求に応じて、前記接続状態情報を当該サーバ装置へ送信する接続状態情報送信手段を備える画像共有システム。
【請求項４】
請求項２に記載の画像共有システムであって、
前記サーバ装置は、通信端末連携サーバ装置と、中継サーバ装置と、を含み、
前記通信端末連携サーバ装置は、前記通信端末から画像データを受信し、当該受信した画像データを共有画像として前記中継サーバ装置へ送信するように構成され、
前記中継サーバ装置は、前記通信端末連携サーバ装置から受信した共有画像を前記第１のクライアント装置及び前記第２のクライアント装置のそれぞれへ送信するとともに、当該第１のクライアント装置から当該第２のクライアント装置へ送信される前記編集情報を中継するように構成された画像共有システム。
【請求項５】
請求項１乃至請求項４のいずれか一項に記載の画像共有システムであって、
前記画像送信手段は、前記第１の電話端末と前記第２の電話端末とが接続されている場合に前記画像データを送信するように構成された画像共有システム。
【請求項６】
請求項１乃至請求項５のいずれか一項に記載の画像共有システムであって、
前記撮影手段は、ユーザからの撮影指示に応じて前記撮影を行う待機状態と、前記撮影を行わない非待機状態と、に状態が切り替わるように構成されるとともに、前記第１の電話端末と前記第２の電話端末とが接続されている場合に当該撮影手段の状態が当該待機状態に設定されるように構成された画像共有システム。
【請求項７】
請求項１乃至請求項６のいずれか一項に記載の画像共有システムであって、
前記通信端末は、前記第１の電話端末と前記第２の電話端末とが接続されていない場合に、その旨を表す非接続状態情報を出力する情報出力手段を備える画像共有システム。
【請求項８】
サーバ装置が当該サーバ装置と通信可能に接続された第１のクライアント装置及び第２のクライアント装置のそれぞれへ共有画像を送信し、当該第１のクライアント装置及び当該第２のクライアント装置のそれぞれが当該共有画像を表示する画像共有方法であって、
接続制御装置が、前記第１のクライアント装置と対応付けられた第１の電話端末と、前記第２のクライアント装置と対応付けられた第２の電話端末と、を接続した場合、当該第１の電話端末を識別するための電話端末識別情報、及び、当該第２の電話端末を識別するための電話端末識別情報の組と、当該接続を識別する接続識別情報と、を対応付けて記憶し、
通信端末が、被写体を撮影することによりその被写体の画像を出力し、ユーザにより入力された認証用入力情報と当該出力された画像を表す画像データとを前記サーバ装置へ送信し、
前記サーバ装置が、前記通信端末から受信した認証用入力情報に基づいて電話端末識別情報を取得し、当該取得された電話端末識別情報と対応付けて前記接続制御装置に記憶されている接続識別情報を当該接続制御装置から受信し、当該受信した接続識別情報と、当該認証用入力情報とともに当該通信端末から受信した前記画像データと、を対応付けて記憶し、
前記第１のクライアント装置及び前記第２のクライアント装置のそれぞれが、ユーザにより入力された認証用入力情報を前記サーバ装置へ送信し、
前記サーバ装置が、前記第１のクライアント装置及び前記第２のクライアント装置のそれぞれに対して、当該クライアント装置から受信した認証用入力情報に基づいて前記接続制御装置から受信した接続識別情報と対応付けて記憶されている画像データが表す画像を前記共有画像として、当該認証用入力情報を送信してきたクライアント装置へ送信する、画像共有方法。
【請求項９】
請求項８に記載の画像共有方法であって、
前記第１のクライアント装置が、前記共有画像を編集する編集情報が入力された場合、当該入力された編集情報に基づいて編集された前記共有画像を表示するとともに、当該入力された編集情報を前記サーバ装置へ送信し、
前記サーバ装置が、前記第１のクライアント装置から前記編集情報を受信した場合に当該受信した編集情報を前記第２のクライアント装置へ送信し、
前記第２のクライアント装置が、前記サーバ装置から前記編集情報を受信した場合に、当該編集情報に基づいて編集された前記共有画像を表示する、画像共有方法。
【請求項１０】
第１のクライアント装置及び第２のクライアント装置と通信可能に接続され、且つ、当該第１のクライアント装置及び当該第２のクライアント装置のそれぞれへ共有画像を送信するように構成されたサーバ装置であって、
認証用入力情報を受信し、当該受信された認証用入力情報に基づいて電話端末識別情報を取得し、前記第１のクライアント装置と対応付けられた第１の電話端末と、前記第２のクライアント装置と対応付けられた第２の電話端末と、の間の接続を制御する接続制御装置に、当該取得された電話端末識別情報と対応付けて記憶されている接続識別情報を当該接続制御装置から受信するように構成され、
被写体を撮影することによりその被写体の画像を出力する撮影手段と当該撮影手段によって出力された画像を表す画像データを送信する画像送信手段とを備える通信端末から受信した認証用入力情報に基づいて前記接続制御装置から受信した接続識別情報と、当該認証用入力情報とともに当該通信端末から受信した前記画像データと、を対応付けて記憶するように構成され、
前記第１のクライアント装置及び前記第２のクライアント装置のそれぞれに対して、当該クライアント装置から受信した認証用入力情報に基づいて前記接続制御装置から受信した接続識別情報と対応付けて記憶されている画像データが表す画像を前記共有画像として、当該認証用入力情報を送信してきたクライアント装置へ送信するように構成されたサーバ装置。
【請求項１１】
請求項１０に記載のサーバ装置であって、
前記第１のクライアント装置から前記共有画像を編集する編集情報を受信した場合に当該受信した編集情報を前記第２のクライアント装置へ送信するように構成されたサーバ装置。
【請求項１２】
第１のクライアント装置及び第２のクライアント装置と通信可能に接続されたサーバ装置に、当該第１のクライアント装置及び当該第２のクライアント装置のそれぞれへ共有画像を送信させるためのプログラムであって、
前記サーバ装置に、更に、
認証用入力情報を受信させ、当該受信された認証用入力情報に基づいて電話端末識別情報を取得させ、前記第１のクライアント装置と対応付けられた第１の電話端末と、前記第２のクライアント装置と対応付けられた第２の電話端末と、の間の接続を制御する接続制御装置に、当該取得された電話端末識別情報と対応付けて記憶されている接続識別情報を当該接続制御装置から受信させるとともに、
被写体を撮影することによりその被写体の画像を出力する撮影手段と当該撮影手段によって出力された画像を表す画像データを送信する画像送信手段とを備える通信端末から受信した認証用入力情報に基づいて前記接続制御装置から受信した接続識別情報と、当該認証用入力情報とともに当該通信端末から受信した前記画像データと、を対応付けて記憶させ、更に、
前記第１のクライアント装置及び前記第２のクライアント装置のそれぞれに対して、当該クライアント装置から受信した認証用入力情報に基づいて前記接続制御装置から受信した接続識別情報と対応付けて記憶されている画像データが表す画像を前記共有画像として、当該認証用入力情報を送信してきたクライアント装置へ送信させるように構成されたプログラム。
【請求項１３】
請求項１２に記載のプログラムであって、
前記サーバ装置に、更に、
前記第１のクライアント装置から前記共有画像を編集する編集情報を受信した場合に当該受信した編集情報を前記第２のクライアント装置へ送信する編集情報転送手段を実現させるためのプログラム。
【発明の詳細な説明】
【技術分野】
【０００１】
本発明は、複数のクライアント装置において同一の画像を表示する画像共有システムに関する。
【背景技術】
【０００２】
サーバ装置と、サーバ装置と通信可能に接続された第１のクライアント装置（例えば、パーソナルコンピュータ（ＰＣ；Ｐｅｒｓｏｎａｌ  Ｃｏｍｐｕｔｅｒ））及び第２のクライアント装置と、を含む画像共有システムが知られている。
【０００３】
この画像共有システムにおいて、サーバ装置は、第１のクライアント装置及び第２のクライアント装置のそれぞれへ共有画像を送信する。これにより、第１のクライアント装置及び第２のクライアント装置のそれぞれは、同一の共有画像を表示する。
【０００４】
この画像共有システムにおいては、第１のクライアント装置のユーザと、第２のクライアント装置のユーザと、が同時に同一の画像を閲覧することができる。
【特許文献１】特開２００７−１６６０１８号公報
【発明の開示】
【発明が解決しようとする課題】
【０００５】
ところで、一般に、ＰＣは、カメラ機能を有していないことが多い。従って、ユーザが新たな共有画像を画像共有システムに登録する（サーバ装置へ画像を送信する）場合、ユーザは、例えば、カメラをＰＣに接続する（又は、カメラ内の記憶媒体（メモリ）をＰＣに接続（内蔵）された読取装置へ挿入する）ことによりカメラで撮影した画像をＰＣに転送する。そして、ユーザは、ＰＣ内の画像をサーバ装置へ送信するための操作を行う必要があった。即ち、上記画像共有システムにおいては、画像共有システムに共有画像を新たに登録する際のユーザの手間が煩雑であるという問題があった。
【０００６】
このため、本発明の目的は、上述した課題である「画像共有システムに共有画像を新たに登録する際のユーザの手間が煩雑であること」を解決することが可能な画像共有システムを提供することにある。
【課題を解決するための手段】
【０００７】
かかる目的を達成するため本発明の一形態である画像共有システムは、
サーバ装置と、当該サーバ装置と通信可能に接続された第１のクライアント装置及び第２のクライアント装置と、を含み、
上記サーバ装置が上記第１のクライアント装置及び上記第２のクライアント装置のそれぞれへ共有画像を送信し、当該第１のクライアント装置及び当該第２のクライアント装置のそれぞれが当該共有画像を表示するように構成されたシステムである。
【０００８】
更に、この画像共有システムは、
上記第１のクライアント装置と対応付けられた第１の電話端末と、
上記第２のクライアント装置と対応付けられた第２の電話端末と、
上記第１の電話端末と上記第２の電話端末との間の接続を制御する接続制御装置と、
被写体を撮影することによりその被写体の画像を出力する撮影手段と、当該撮影手段により出力された画像を表す画像データを送信する画像送信手段と、を有する通信端末と、
を備え、
上記サーバ装置は、上記第１の電話端末と上記第２の電話端末とが接続されている場合に、上記通信端末から送信された画像データが表す画像を上記共有画像として、上記第１のクライアント装置及び上記第２のクライアント装置のそれぞれへ送信する共有画像送信手段を備える。
【０００９】
また、本発明の他の形態である画像共有方法は、
サーバ装置が当該サーバ装置と通信可能に接続された第１のクライアント装置及び第２のクライアント装置のそれぞれへ共有画像を送信し、当該第１のクライアント装置及び当該第２のクライアント装置のそれぞれが当該共有画像を表示する工程を含む方法である。
【００１０】
更に、この画像共有方法は、
通信端末が被写体を撮影することによりその被写体の画像を出力する撮影工程と、
上記通信端末が上記撮影工程にて出力された画像を表す画像データを送信する画像送信工程と、
上記第１のクライアント装置と対応付けられた第１の電話端末と、上記第２のクライアント装置と対応付けられた第２の電話端末と、が接続されている場合に、上記通信端末から送信された画像データが表す画像を上記共有画像として、上記サーバ装置が当該第１のクライアント装置及び当該第２のクライアント装置のそれぞれへ送信する共有画像送信工程と、
を含む。
【００１１】
また、本発明の他の形態であるサーバ装置は、
第１のクライアント装置及び第２のクライアント装置と通信可能に接続され、且つ、当該第１のクライアント装置及び当該第２のクライアント装置のそれぞれへ共有画像を送信するように構成された装置である。
【００１２】
更に、このサーバ装置は、
上記第１のクライアント装置と対応付けられた第１の電話端末と、上記第２のクライアント装置と対応付けられた第２の電話端末と、が接続されている場合に、被写体を撮影することによりその被写体の画像を出力する撮影手段と当該撮影手段によって出力された画像を表す画像データを送信する画像送信手段とを備える通信端末から送信された画像データが表す画像を上記共有画像として、当該第１のクライアント装置及び当該第２のクライアント装置のそれぞれへ送信する共有画像送信手段を備える。
【００１３】
また、本発明の他の形態であるプログラムは、
第１のクライアント装置及び第２のクライアント装置と通信可能に接続されたサーバ装置に、上記第１のクライアント装置及び上記第２のクライアント装置のそれぞれへ共有画像を送信させるためのプログラムである。
【００１４】
更に、このプログラムは、
上記第１のクライアント装置と対応付けられた第１の電話端末と、上記第２のクライアント装置と対応付けられた第２の電話端末と、が接続されている場合に、被写体を撮影することによりその被写体の画像を出力する撮影手段と当該撮影手段によって出力された画像を表す画像データを送信する画像送信手段とを備える通信端末から送信された画像データが表す画像を上記共有画像として、当該第１のクライアント装置及び当該第２のクライアント装置のそれぞれへ送信する共有画像送信手段を実現させるためのプログラムである。
【発明の効果】
【００１５】
本発明は、以上のように構成されることにより、画像共有システムに共有画像を新たに登録する際のユーザの手間を軽減することができる。
【発明を実施するための最良の形態】
【００１６】
本発明の一形態である画像共有システムは、
サーバ装置と、当該サーバ装置と通信可能に接続された第１のクライアント装置及び第２のクライアント装置と、を含み、
上記サーバ装置が上記第１のクライアント装置及び上記第２のクライアント装置のそれぞれへ共有画像を送信し、当該第１のクライアント装置及び当該第２のクライアント装置のそれぞれが当該共有画像を表示するように構成されたシステムである。
【００１７】
更に、この画像共有システムは、
上記第１のクライアント装置と対応付けられた第１の電話端末と、
上記第２のクライアント装置と対応付けられた第２の電話端末と、
上記第１の電話端末と上記第２の電話端末との間の接続を制御する接続制御装置と、
被写体を撮影することによりその被写体の画像を出力する撮影手段と、当該撮影手段により出力された画像を表す画像データを送信する画像送信手段と、を有する通信端末と、
を備え、
上記サーバ装置は、上記第１の電話端末と上記第２の電話端末とが接続されている場合に、上記通信端末から送信された画像データが表す画像を上記共有画像として、上記第１のクライアント装置及び上記第２のクライアント装置のそれぞれへ送信する共有画像送信手段を備える。
【００１８】
これによれば、通信端末により撮影された被写体の画像を共有画像として用いることができる。従って、ユーザは、カメラ等により撮影した画像をクライアント装置へ記憶させるとともに、記憶された画像をクライアント装置からサーバ装置へ送信させるための操作を行う必要がない。この結果、画像共有システムに共有画像を新たに登録する際のユーザの手間を軽減することができる。即ち、ユーザの利便性を向上させることができる。
【００１９】
この場合、
上記第１のクライアント装置は、上記共有画像を編集する編集情報が入力された場合、当該入力された編集情報に基づいて編集された上記共有画像を表示するとともに、当該入力された編集情報を上記サーバ装置へ送信するように構成され、
上記サーバ装置は、上記第１のクライアント装置から上記編集情報を受信した場合に当該受信した編集情報を上記第２のクライアント装置へ送信するように構成され、
上記第２のクライアント装置は、上記サーバ装置から上記編集情報を受信した場合に、当該編集情報に基づいて編集された上記共有画像を表示するように構成されることが好適である。
【００２０】
これによれば、第１のクライアント装置のユーザが共有画像を編集した場合に、第２のクライアント装置のユーザも略同時に編集後の共有画像を閲覧することができる。即ち、第１のクライアント装置のユーザと、第２のクライアント装置のユーザと、が略同時に同一の画像を閲覧することができる。
【００２１】
この場合、
上記サーバ装置は、
現時点にて上記第１の通信端末と上記第２の通信端末とが接続されているか否かを表す接続状態情報を要求する旨を表す接続状態情報要求を上記接続制御装置へ送信する要求送信手段と、
上記送信した接続状態情報要求に応じて、上記接続状態情報を受信する接続状態情報受信手段と、を備えるとともに、
上記受信した接続状態情報に基づいて上記共有画像を送信するか否かを決定するように構成され、
上記接続制御装置は、
上記サーバ装置から受信した接続状態情報要求に応じて、上記接続状態情報を当該サーバ装置へ送信する接続状態情報送信手段を備えることが好適である。
【００２２】
この場合、
上記サーバ装置は、通信端末連携サーバ装置と、中継サーバ装置と、を含み、
上記通信端末連携サーバ装置は、上記通信端末から画像データを受信し、当該受信した画像データを共有画像として上記中継サーバ装置へ送信するように構成され、
上記中継サーバ装置は、上記通信端末連携サーバ装置から受信した共有画像を上記第１のクライアント装置及び上記第２のクライアント装置のそれぞれへ送信するとともに、当該第１のクライアント装置から当該第２のクライアント装置へ送信される上記編集情報を中継するように構成されることが好適である。
【００２３】
この場合、
上記画像送信手段は、上記第１の電話端末と上記第２の電話端末とが接続されている場合に上記画像データを送信するように構成されることが好適である。
【００２４】
これによれば、画像データを無駄に送信することを回避することができる。この結果、画像データが無駄に送信される場合と比較して、通信量を低減することができる。
【００２５】
この場合、
上記撮影手段は、ユーザからの撮影指示に応じて上記撮影を行う待機状態と、上記撮影を行わない非待機状態と、に状態が切り替わるように構成されるとともに、上記第１の電話端末と上記第２の電話端末とが接続されている場合に当該撮影手段の状態が当該待機状態に設定されるように構成されることが好適である。
【００２６】
これによれば、撮影が無駄に行われることを回避することができる。この結果、撮影が無駄に行われる場合と比較して、ユーザの手間を軽減することができる。
【００２７】
この場合、
上記通信端末は、上記第１の電話端末と上記第２の電話端末とが接続されていない場合に、その旨を表す非接続状態情報を出力する情報出力手段を備えることが好適である。
【００２８】
これによれば、ユーザに、第１の電話端末と第２の電話端末とが接続されていないことを認識させることができる。この結果、ユーザの利便性を向上させることができる。
【００２９】
また、本発明の他の形態である画像共有方法は、
サーバ装置が当該サーバ装置と通信可能に接続された第１のクライアント装置及び第２のクライアント装置のそれぞれへ共有画像を送信し、当該第１のクライアント装置及び当該第２のクライアント装置のそれぞれが当該共有画像を表示する工程を含む方法である。
【００３０】
更に、この画像共有方法は、
通信端末が被写体を撮影することによりその被写体の画像を出力する撮影工程と、
上記通信端末が上記撮影工程にて出力された画像を表す画像データを送信する画像送信工程と、
上記第１のクライアント装置と対応付けられた第１の電話端末と、上記第２のクライアント装置と対応付けられた第２の電話端末と、が接続されている場合に、上記通信端末から送信された画像データが表す画像を上記共有画像として、上記サーバ装置が当該第１のクライアント装置及び当該第２のクライアント装置のそれぞれへ送信する共有画像送信工程と、
を含む。
【００３１】
この場合、
上記画像共有方法は、
上記第１のクライアント装置が、上記共有画像を編集する編集情報が入力された場合、当該入力された編集情報に基づいて編集された上記共有画像を表示するとともに、当該入力された編集情報を上記サーバ装置へ送信する編集情報送信工程と、
上記サーバ装置が、上記第１のクライアント装置から上記編集情報を受信した場合に当該受信した編集情報を上記第２のクライアント装置へ送信する編集情報転送工程と、
上記第２のクライアント装置が、上記サーバ装置から上記編集情報を受信した場合に、当該編集情報に基づいて編集された上記共有画像を表示する共有画像表示工程と、
を含むことが好適である。
【００３２】
また、本発明の他の形態であるサーバ装置は、
第１のクライアント装置及び第２のクライアント装置と通信可能に接続され、且つ、当該第１のクライアント装置及び当該第２のクライアント装置のそれぞれへ共有画像を送信するように構成された装置である。
【００３３】
更に、このサーバ装置は、
上記第１のクライアント装置と対応付けられた第１の電話端末と、上記第２のクライアント装置と対応付けられた第２の電話端末と、が接続されている場合に、被写体を撮影することによりその被写体の画像を出力する撮影手段と当該撮影手段によって出力された画像を表す画像データを送信する画像送信手段とを備える通信端末から送信された画像データが表す画像を上記共有画像として、当該第１のクライアント装置及び当該第２のクライアント装置のそれぞれへ送信する共有画像送信手段を備える。
【００３４】
この場合、
上記サーバ装置は、上記第１のクライアント装置から上記共有画像を編集する編集情報を受信した場合に当該受信した編集情報を上記第２のクライアント装置へ送信するように構成されることが好適である。
【００３５】
また、本発明の他の形態であるプログラムは、
第１のクライアント装置及び第２のクライアント装置と通信可能に接続されたサーバ装置に、上記第１のクライアント装置及び上記第２のクライアント装置のそれぞれへ共有画像を送信させるためのプログラムである。
【００３６】
更に、このプログラムは、
上記第１のクライアント装置と対応付けられた第１の電話端末と、上記第２のクライアント装置と対応付けられた第２の電話端末と、が接続されている場合に、被写体を撮影することによりその被写体の画像を出力する撮影手段と当該撮影手段によって出力された画像を表す画像データを送信する画像送信手段とを備える通信端末から送信された画像データが表す画像を上記共有画像として、当該第１のクライアント装置及び当該第２のクライアント装置のそれぞれへ送信する共有画像送信手段を実現させるためのプログラムである。
【００３７】
この場合、
上記プログラムは、
上記サーバ装置に、更に、
上記第１のクライアント装置から上記共有画像を編集する編集情報を受信した場合に当該受信した編集情報を上記第２のクライアント装置へ送信する編集情報転送手段を実現させるためのプログラムであることが好適である。
【００３８】
上述した構成を有する、画像共有方法、サーバ装置、又は、プログラム、の発明であっても、上記画像共有システムと同様の作用を有するために、上述した本発明の目的を達成することができる。
【００３９】
以下、本発明に係る、画像共有システム、画像共有方法、サーバ装置、及び、プログラム、の実施形態について図１〜図９を参照しながら説明する。
【００４０】
＜実施形態＞
図１に示したように、実施形態に係る画像共有システム１は、回線交換サーバ装置（接続制御装置）１０と、第１の電話端末１１と、第２の電話端末１２と、中継サーバ装置（協働作業サーバ装置）２０と、第１のクライアント装置２１と、第２のクライアント装置２２と、連携サーバ装置（通信端末連携サーバ装置）３０と、携帯電話端末（通信端末）３１と、を含む。なお、本明細書において、中継サーバ装置２０及び連携サーバ装置３０は、「サーバ装置」とも呼ばれる。
【００４１】
また、回線交換サーバ装置１０と中継サーバ装置２０とは通信回線を介して通信可能に接続されている。更に、中継サーバ装置２０と連携サーバ装置３０とは通信回線を介して通信可能に接続されている。
【００４２】
第１の電話端末１１及び第２の電話端末１２のそれぞれ（各電話端末１１，１２）は、音声を入力及び出力するとともに、音声を表す音声情報を授受可能な電話機である。第１の電話端末１１には、第１の電話番号ＴＥＬ１が割り当てられている。また、第２の電話端末１２には、第２の電話番号ＴＥＬ２が割り当てられている。即ち、各電話端末１１，１２には、各電話端末に固有の電話番号が割り当てられている。従って、電話番号は、電話端末を識別する電話端末識別情報である。第１の電話端末１１は、ユーザＵ１により使用されている。第２の電話端末１２は、ユーザＵ２により使用されている。
【００４３】
回線交換サーバ装置１０は、第１の電話端末１１及び第２の電話端末１２を含む複数の電話端末のそれぞれと、公衆交換電話網（ＰＳＴＮ；Ｐｕｂｌｉｃ  Ｓｗｉｔｃｈｅｄ  Ｔｅｌｅｐｈｏｎｅ  Ｎｅｔｗｏｒｋ）を介して、通信可能に接続されている。回線交換サーバ装置１０は、複数の電話端末のうちの２つの電話端末間で音声情報を互いに授受できるように（即ち、通話可能となるように）、それらの電話端末を接続する。
【００４４】
また、回線交換サーバ装置１０は、図示しない中央処理装置（ＣＰＵ；Ｃｅｎｔｒａｌ  Ｐｒｏｃｅｓｓｉｎｇ  Ｕｎｉｔ）、記憶装置（メモリ及びハードディスク装置（ＨＤＤ；Ｈａｒｄ  Ｄｉｓｋ  Ｄｒｉｖｅ））及び通信装置を備えている。回線交換サーバ装置１０は、記憶装置に記憶されているプログラムをＣＰＵが実行することにより、後述する機能を実現するように構成されている。
【００４５】
第１のクライアント装置２１及び第２のクライアント装置２２のそれぞれ（各クライアント装置２１，２２）は、パーソナルコンピュータ（ＰＣ；Ｐｅｒｓｏｎａｌ  Ｃｏｍｐｕｔｅｒ）であり、図示しないＣＰＵ、記憶装置（メモリ及びＨＤＤ）及び通信装置を備えている。各クライアント装置２１，２２の記憶装置には、画像を共有するための画像共有プログラムが記憶されている。
【００４６】
各クライアント装置２１，２２は、記憶装置に記憶されているプログラムをＣＰＵが実行することにより、後述する機能を実現するように構成されている。第１のクライアント装置２１は、ユーザＵ１により使用されている。第２のクライアント装置２２は、ユーザＵ２により使用されている。
【００４７】
更に、各クライアント装置２１，２２は、図示しない入力装置（キーボード及びマウス等）を有している。各クライアント装置２１，２２は、入力装置を介して情報が入力されるように構成されている。更に、各クライアント装置２１，２２は、図示しない表示装置（ディスプレイ）を有している。各クライアント装置２１，２２は、そのディスプレイに文字及び図形等からなる画像を表示する。
【００４８】
中継サーバ装置２０は、図示しないＣＰＵ、記憶装置（メモリ及びＨＤＤ）及び通信装置を備えている。中継サーバ装置２０は、記憶装置に記憶されているプログラムをＣＰＵが実行することにより、後述する機能を実現するように構成されている。
【００４９】
中継サーバ装置２０は、第１のクライアント装置２１及び第２のクライアント装置２２を含む複数のクライアント装置と、インターネットを介して通信可能に接続されている。中継サーバ装置２０は、文字及び図形等からなる画像であって複数のクライアント装置間で共有される画像（共有画像）、及び、その共有画像を編集する編集情報を、複数のクライアント装置のそれぞれへ送信する。
【００５０】
携帯電話端末３１は、音声を入力及び出力するとともに、音声を表す音声情報を授受可能な携帯型の電話機である。携帯電話端末３１は、音声情報以外の情報（データ）も授受可能に構成されている。携帯電話端末３１は、ユーザＵ１により使用されている。
【００５１】
また、携帯電話端末３１は、図示しないＣＰＵ及び記憶装置（メモリ）を備えている。携帯電話端末３１は、記憶装置に記憶されているプログラムをＣＰＵが実行することにより、後述する機能を実現するように構成されている。
【００５２】
更に、携帯電話端末３１は、図示しない複数のキー（ボタン式スイッチ）を有している。携帯電話端末３１は、これらのキーを介して情報が入力されるように構成されている。更に、携帯電話端末３１は、図示しない表示装置（ディスプレイ）を有している。携帯電話端末３１は、そのディスプレイに文字及び図形等からなる画像を表示する。
【００５３】
加えて、携帯電話端末３１は、カメラ部（撮影手段）３１ａを備える。カメラ部３１ａは、固体撮像素子及びレンズを含み、ＣＰＵからの撮影実行指示に応じて、被写体を撮影することによりその被写体の画像（を表す情報）を出力する。携帯電話端末３１は、カメラ部３１ａの状態を、ユーザからの撮影指示に応じて撮影を行う待機状態と、撮影を行わない非待機状態と、に切り替える。携帯電話端末３１は、回線交換サーバ装置１０によって第１の電話端末１１と第２の電話端末１２とが通話可能に接続されている場合に、カメラ部３１ａの状態を待機状態に設定する。携帯電話端末３１は、カメラ部３１ａにより出力された画像を表す画像データを送信する。
【００５４】
連携サーバ装置３０は、図示しないＣＰＵ、記憶装置（メモリ及びＨＤＤ）及び通信装置を備えている。連携サーバ装置３０は、記憶装置に記憶されているプログラムをＣＰＵが実行することにより、後述する機能を実現するように構成されている。連携サーバ装置３０は、基地局を介して携帯電話端末３１と通信可能に接続されている。
【００５５】
連携サーバ装置３０は、回線交換サーバ装置１０によって第１の電話端末１１と第２の電話端末１２とが通話可能に接続されている場合に、携帯電話端末３１から送信された画像データが表す画像を共有画像として、第１のクライアント装置２１及び第２のクライアント装置２２のそれぞれへ送信する。
【００５６】
図２は、上記のように構成された画像共有システム１の機能のうちの本発明に係る機能を表すブロック図である。この機能は、携帯電話端末３１のＣＰＵが後述する図３に示したフローチャートにより表されるプログラム等を実行するとともに、連携サーバ装置３０のＣＰＵが後述する図４及び図７に示したフローチャートにより表されるプログラム等を実行し、且つ、中継サーバ装置２０のＣＰＵが後述する図５、図６及び図８に示したフローチャートにより表されるプログラム等を実行することにより、実現される。
【００５７】
この携帯電話端末３１の機能は、認証用入力情報送信部４１と、接続確認情報出力部（情報出力手段）４２と、画像送信部（画像送信手段）４３と、を含む。
【００５８】
認証用入力情報送信部４１は、キーを介してユーザＵ１により入力された認証用入力情報を受け付ける。ここで、認証用入力情報は、ユーザＩＤ（文字列を表す情報）、及び、パスワード（文字列を表す情報）を含む情報である。なお、本例では、ユーザＩＤとして、電話端末に割り当てられた電話番号が用いられる。認証用入力情報送信部４１は、受け付けた認証用入力情報を連携サーバ装置３０へ送信する。
【００５９】
接続確認情報出力部４２は、連携サーバ装置３０から接続確認情報を受信する。ここで、接続確認情報は、「認証失敗情報」、「非接続情報」、又は、「接続識別情報及び電話端末識別情報の組」である。
【００６０】
認証失敗情報は、認証用入力情報に基づく認証が失敗した旨を表す情報である。
非接続情報は、認証用入力情報に含まれるユーザＩＤ（電話番号）が割り当てられた電話端末が、他の電話端末と通話可能に接続されていない旨を表す情報である。
接続識別情報は、認証用入力情報に含まれるユーザＩＤ（電話番号）が割り当てられた電話端末が、他の電話端末と通話可能に接続されている旨を表す情報である。更に、接続識別情報は、通話可能に接続されている電話端末の組を識別（特定）する識別情報である。
【００６１】
電話端末識別情報の組は、認証用入力情報に含まれるユーザＩＤ（電話番号）と、そのユーザＩＤが割り当てられた電話端末と通話可能に接続されている電話端末に割り当てられた電話番号と、の組である。
【００６２】
接続確認情報出力部４２は、受信した接続確認情報に基づく画像をディスプレイに表示させる。具体的には、接続確認情報出力部４２は、受信した接続確認情報が認証失敗情報である場合、認証が失敗した旨を表す画像（即ち、その旨を表すメッセージを含む画像）を表示させる。また、接続確認情報出力部４２は、受信した接続確認情報が非接続情報である場合、認証用入力情報に含まれるユーザＩＤが割り当てられた電話端末と通話可能に接続されている電話端末が存在しない旨を表す画像を表示させる。
【００６３】
また、接続確認情報出力部４２は、受信した接続確認情報が接続識別情報及び電話端末識別情報の組である場合、認証用入力情報に含まれるユーザＩＤが割り当てられた電話端末と通話可能に接続されている電話端末が存在する旨（即ち、電話端末識別情報の組
）を表す画像を表示させる。
【００６４】
画像送信部４３は、連携サーバ装置３０から接続確認情報を受信する。画像送信部４３は、受信した接続確認情報が、接続識別情報及び電話端末識別情報の組を含む場合に、カメラ部３１ａにより出力された画像を表す画像データを連携サーバ装置３０へ送信する。このとき、画像送信部４３は、画像を、予め設定された送信サイズに分割し、分割した画像データを送信するように構成されている。
【００６５】
また、連携サーバ装置３０の機能は、認証用入力情報送信部５１と、電話端末識別情報送信部５２と、接続確認情報送信部５３と、共有画像送信部（共有画像送信手段の一部）５４と、を含む。
【００６６】
認証用入力情報送信部５１は、認証用入力情報送信部４１から認証用入力情報を受信する。認証用入力情報送信部５１は、受信した認証用入力情報を中継サーバ装置２０へ送信する。
【００６７】
電話端末識別情報送信部５２は、中継サーバ装置２０から認証成功識別情報（本例では、セッションクッキー）又は認証失敗情報を受信する。ここで、認証成功識別情報は、認証が成功した旨を表す情報である。
【００６８】
電話端末識別情報送信部５２は、認証成功識別情報を受信した場合、受信した認証成功識別情報と、認証用入力情報送信部５１が受信した認証用入力情報に含まれるユーザＩＤ（電話番号）と、を中継サーバ装置２０へ送信する。
【００６９】
接続確認情報送信部５３は、中継サーバ装置２０から、「非接続情報」、又は、「接続識別情報及び電話端末識別情報の組」を受信する。また、接続確認情報送信部５３は、中継サーバ装置２０から認証成功識別情報又は認証失敗情報を受信する。
【００７０】
接続確認情報送信部５３は、認証失敗情報を受信した場合、認証失敗情報を接続確認情報として携帯電話端末３１へ送信する。一方、接続確認情報送信部５３は、認証成功識別情報を受信し、且つ、非接続情報を受信した場合、非接続情報を接続確認情報として携帯電話端末３１へ送信する。また、接続確認情報送信部５３は、認証成功識別情報を受信し、且つ、接続識別情報及び電話端末識別情報の組を受信した場合、接続識別情報及び電話端末識別情報の組を接続確認情報として携帯電話端末３１へ送信する。
【００７１】
共有画像送信部５４は、画像送信部４３から送信された画像データを受信し、受信した画像データに基づいて分割前の画像を復元する。共有画像送信部５４は、復元した画像（共有画像）を中継サーバ装置２０へ送信する。
【００７２】
また、中継サーバ装置２０の機能は、要求送信部（要求送信手段）６１と、認証結果受信部６２と、接続状態情報受信部（接続状態情報受信手段）６３と、共有画像中継部（共有画像送信手段の一部）６４と、編集情報転送部（編集情報転送手段）６５と、を含む。
【００７３】
要求送信部６１は、認証用入力情報送信部５１から認証用入力情報を受信すると、その認証用入力情報を含み且つ認証処理の実行を要求する旨を表す認証処理要求を回線交換サーバ装置１０へ送信する。
【００７４】
また、要求送信部６１は、電話端末識別情報送信部５２から認証成功識別情報及び電話端末識別情報を受信すると、接続状態情報要求を回線交換サーバ装置１０へ送信する。ここで、接続状態情報要求は、受信した電話端末識別情報を含む。更に、接続状態情報要求は、その電話端末識別情報が割り当てられた電話端末と他の電話端末とが現時点にて接続されているか否かを表す接続状態情報を要求する旨を表す。
【００７５】
認証結果受信部６２は、要求送信部６１が送信した認証処理要求に応じて、回線交換サーバ装置１０から認証結果（を表す情報）を受信する。ここで、認証結果は、認証が成功した旨を表す認証成功情報、又は、認証が失敗した旨を表す認証失敗情報である。認証結果受信部６２は、受信した認証結果が認証成功情報である場合、認証成功識別情報を生成し、生成した認証成功識別情報を電話端末識別情報送信部５２及び接続確認情報送信部５３のそれぞれへ送信する。一方、認証結果受信部６２は、受信した認証結果が認証失敗情報である場合、受信した認証失敗情報を電話端末識別情報送信部５２及び接続確認情報送信部５３のそれぞれへ送信する。
【００７６】
接続状態情報受信部６３は、要求送信部６１が送信した接続状態情報要求に応じて、回線交換サーバ装置１０から接続状態情報を受信する。接続状態情報受信部６３は、受信した接続状態情報を接続確認情報送信部５３へ送信する。
【００７７】
共有画像中継部６４は、共有画像送信部５４から共有画像を受信する。共有画像中継部６４は、受信した共有画像の形式を変換する。そして、共有画像中継部６４は、変換した共有画像と、接続状態情報受信部６３が受信した接続状態情報に含まれる接続識別情報と、を対応付けて中継サーバ装置２０の記憶装置に記憶させる。
【００７８】
ところで、中継サーバ装置２０は、第１のクライアント装置２１又は第２のクライアント装置２２から認証用入力情報を受信した場合も、携帯電話端末３１から（連携サーバ装置３０を経由して）認証用入力情報を受信した場合と同様に作動する。
【００７９】
従って、この場合、接続状態情報受信部６３は、クライアント装置２１，２２が送信した認証用入力情報に含まれるユーザＩＤに基づいて回線交換サーバ装置１０から接続状態情報を受信する。そして、共有画像中継部６４は、接続状態情報受信部６３が接続識別情報を含む接続状態情報を受信した場合（即ち、複数の電話端末が互いに接続されている場合）、その接続識別情報と対応付けて記憶装置に記憶されている共有画像を、その接続識別情報を接続状態情報受信部６３が受信する基となった認証用入力情報を送信したクライアント装置２１，２２へ送信する。
【００８０】
また、編集情報転送部６５は、編集情報をクライアント装置２１，２２から受信する。編集情報転送部６５は、受信した編集情報と、接続状態情報受信部６３が受信した接続状態情報に含まれる接続識別情報と、を対応付けて中継サーバ装置２０の記憶装置に記憶させる。そして、編集情報転送部６５は、接続状態情報受信部６３が接続識別情報を含む接続状態情報を受信した場合、その接続識別情報と対応付けて記憶装置に記憶されている編集情報をその接続識別情報を接続状態情報受信部６３が受信する基となった認証用入力情報を送信したクライアント装置２１，２２へ送信する。即ち、編集情報転送部６５は、クライアント装置２１，２２の一方から他方へ送信される編集情報を中継する。
【００８１】
また、回線交換サーバ装置１０の機能は、認証結果送信部７１と、接続制御部７２と、接続状態情報送信部（接続状態情報送信手段）７３と、を含む。
【００８２】
認証結果送信部７１は、ユーザＩＤ（電話番号）と、パスワードと、の組である認証用記憶情報を回線交換サーバ装置１０の記憶装置に予め記憶させている。認証結果送信部７１は、認証処理要求を受信する。
【００８３】
認証結果送信部７１は、受信した認証処理要求に含まれるユーザＩＤ及びパスワードの組が、記憶装置に記憶されている場合、認証成功情報を認証結果受信部６２へ送信する。一方、認証結果送信部７１は、受信した認証処理要求に含まれるユーザＩＤ及びパスワードの組が、記憶装置に記憶されていない場合、認証失敗情報を認証結果受信部６２へ送信する。
【００８４】
接続制御部７２は、電話端末１１，１２からの発呼信号及び応答信号を検出することにより、２つの電話端末１１，１２間で通話可能となるように第１の電話端末１１及び第２の電話端末１２を接続する。また、接続制御部７２は、電話端末１１，１２からの終話信号を検出することにより、電話端末１１，１２間の接続を解除する。
【００８５】
更に、接続制御部７２は、２つの電話端末１１，１２を通話可能に接続している間、その２つの電話端末１１，１２のそれぞれを識別する電話端末識別情報の組と、その接続を識別する接続識別情報と、を対応付けて回線交換サーバ装置１０の記憶装置に記憶させる。即ち、接続制御部７２は、２つの電話端末１１，１２が通話可能に接続された時に、電話端末識別情報の組と接続識別情報とを対応付けて記憶させ、一方、その接続が解除された時に、記憶されている電話端末識別情報の組と接続識別情報とを記憶装置から消去する。
【００８６】
接続状態情報送信部７３は、接続状態情報要求を受信する。接続状態情報送信部７３は、受信した接続状態情報要求に含まれる電話端末識別情報が接続識別情報と対応付けて記憶装置に記憶されている場合、その接続識別情報と、その接続識別情報に対応付けて記憶されている電話端末識別情報の組と、を接続状態情報受信部６３へ送信する。一方、接続状態情報送信部７３は、受信した接続状態情報要求に含まれる電話端末識別情報が接続識別情報と対応付けて記憶装置に記憶されていない場合、非接続情報を接続状態情報受信部６３へ送信する。
【００８７】
各クライアント装置２１，２２の機能は、共有画像表示部８１と、編集情報処理部８２と、を含む。各クライアント装置２１，２２は、携帯電話端末３１と同様に、ユーザにより入力された認証用入力情報を受け付ける。各クライアント装置２１，２２は、受け付けた認証用入力情報を中継サーバ装置２０へ送信する。
【００８８】
共有画像表示部８１は、共有画像中継部６４から共有画像を受信すると、受信した共有画像をディスプレイに表示させる。
【００８９】
編集情報処理部８２は、ユーザにより入力された編集情報を受け付ける。編集情報処理部８２は、受け付けた編集情報に基づいて編集された共有画像をディスプレイに表示させる。更に、編集情報処理部８２は、受け付けた編集情報を編集情報転送部６５へ送信する。一方、編集情報処理部８２は、編集情報転送部６５から編集情報を受信すると、受信した編集情報に基づいて編集された共有画像をディスプレイに表示させる。
【００９０】
次に、上述した画像共有システム１の作動について図３〜図９を参照しながら具体的に述べる。図３〜図８は、中継サーバ装置２０、連携サーバ装置３０又は携帯電話端末３１のＣＰＵに実行されるプログラムを示したフローチャートである。図９は、回線交換サーバ装置１０、中継サーバ装置２０、連携サーバ装置３０及び携帯電話端末３１の間で授受されるデータ（情報）を示したシーケンス図である。
【００９１】
携帯電話端末３１のＣＰＵは、図３にフローチャートにより示した画像送信プログラムを、ユーザにより入力された実行指示に応じて実行するようになっている。
【００９２】
具体的に述べると、携帯電話端末３１のＣＰＵは、画像送信プログラムの処理を開始すると、ステップ３０５にて、認証用入力情報がユーザにより入力されるまで待機する。
【００９３】
いま、回線交換サーバ装置１０が、第１の電話番号ＴＥＬ１及び第１のパスワードＰＳ１の組からなる認証用記憶情報と、第２の電話番号ＴＥＬ２及び第２のパスワードＰＳ２の組からなる認証用記憶情報と、を回線交換サーバ装置１０の記憶装置に記憶させている場合を想定して説明を続ける。更に、この場合において、ユーザＵ１が携帯電話端末３１にユーザＩＤとしての第１の電話番号ＴＥＬ１と、第１のパスワードＰＳ１と、を入力した場合を想定して説明を続ける。
【００９４】
従って、この場合、携帯電話端末３１のＣＰＵは、ステップ３０５にて「Ｙｅｓ」と判定してステップ３１０に進み、入力された認証用入力情報を連携サーバ装置３０へ送信する（図９の矢印９０１）。
次いで、ＣＰＵは、ステップ３１５にて、接続確認情報を受信するまで待機する。
【００９５】
一方、連携サーバ装置３０のＣＰＵは、図４にフローチャートにより示した接続確認情報送信プログラムを連携サーバ装置３０の起動時に実行するようになっている。
【００９６】
具体的に述べると、連携サーバ装置３０のＣＰＵは、接続確認情報送信プログラムの処理を開始すると、ステップ４０５にて、認証用入力情報を受信するまで待機する。この状態においては、連携サーバ装置３０は、携帯電話端末３１から認証用入力情報を受信する。
【００９７】
従って、連携サーバ装置３０のＣＰＵは、ステップ４０５にて「Ｙｅｓ」と判定してステップ４１０に進み、受信した認証用入力情報を中継サーバ装置２０へ送信する（図９の矢印９０２）。
次いで、ＣＰＵは、ステップ４１５にて、認証成功識別情報又は認証失敗情報を受信するまで待機する。
【００９８】
一方、中継サーバ装置２０のＣＰＵは、図５にフローチャートにより示した認証処理プログラムを中継サーバ装置２０の起動時に実行するようになっている。
【００９９】
具体的に述べると、中継サーバ装置２０のＣＰＵは、認証処理プログラムの処理を開始すると、ステップ５０５にて、認証用入力情報を受信するまで待機する。この状態においては、中継サーバ装置２０は、連携サーバ装置３０から認証用入力情報を受信する。
【０１００】
従って、中継サーバ装置２０のＣＰＵは、ステップ５０５にて「Ｙｅｓ」と判定してステップ５１０に進み、受信した認証用入力情報を含む認証処理要求を回線交換サーバ装置１０へ送信する（図９の矢印９０３）。
次いで、ＣＰＵは、ステップ５１５にて、認証結果を受信するまで待機する。
【０１０１】
一方、回線交換サーバ装置１０のＣＰＵは、図示しない認証処理実行プログラムを回線交換サーバ装置１０の起動時に実行するようになっている。具体的に述べると、回線交換サーバ装置１０のＣＰＵは、認証処理実行プログラムの処理を開始すると、認証処理要求を受信するまで待機する。
【０１０２】
この状態においては、回線交換サーバ装置１０は、中継サーバ装置２０から認証処理要求を受信する。従って、回線交換サーバ装置１０のＣＰＵは、認証処理要求に含まれる認証用入力情報（ユーザＩＤ及びパスワードの組）と同一の認証用記憶情報が記憶装置に記憶されているか否かを判定する。
【０１０３】
上記仮定に従えば、第１の電話番号ＴＥＬ１及び第１のパスワードＰＳ１の組である認証用記憶情報が回線交換サーバ装置１０の記憶装置に記憶されている。従って、ＣＰＵは、認証処理要求に含まれる認証用入力情報と同一の認証用記憶情報が記憶装置に記憶されていると判定する。
【０１０４】
次いで、回線交換サーバ装置１０のＣＰＵは、認証成功情報を認証結果として中継サーバ装置２０へ送信する（図９の矢印９０４）。なお、認証処理要求に含まれる認証用入力情報と同一の認証用記憶情報が記憶装置に記憶されていない場合、回線交換サーバ装置１０のＣＰＵは、認証失敗情報を認証結果として中継サーバ装置２０へ送信する。
【０１０５】
これにより、中継サーバ装置２０は、回線交換サーバ装置１０から認証結果を受信する。従って、中継サーバ装置２０のＣＰＵは、ステップ５１５にて「Ｙｅｓ」と判定してステップ５２０へ進む。そして、ＣＰＵは、認証が成功したか否か（受信した認証結果が認証成功情報であるか否か）を判定する。
【０１０６】
この状態においては、中継サーバ装置２０は、認証結果として認証成功情報を受信しているので、ＣＰＵは、「Ｙｅｓ」と判定してステップ５２５へ進む。そして、ＣＰＵは、認証成功識別情報を生成し、生成した認証成功識別情報を連携サーバ装置３０へ送信する（ステップ５３０、図９の矢印９０５）。なお、中継サーバ装置２０が認証結果として認証失敗情報を受信した場合には、ＣＰＵは、ステップ５３５に進み認証失敗情報を連携サーバ装置３０へ送信する。
【０１０７】
その後、ＣＰＵは、ステップ５０５へ戻り、ステップ５０５〜ステップ５３５の処理を繰り返し実行する。
【０１０８】
この状態においては、連携サーバ装置３０は、中継サーバ装置２０から認証成功識別情報を受信する。従って、連携サーバ装置３０のＣＰＵは、ステップ４１５にて「Ｙｅｓ」と判定してステップ４２０へ進む。そして、ＣＰＵは、受信した情報が認証成功識別情報であるか否かを判定する。
【０１０９】
この時点では、連携サーバ装置３０が認証成功識別情報を受信しているので、連携サーバ装置３０のＣＰＵは、「Ｙｅｓ」と判定してステップ４２５へ進み、受信した認証成功識別情報と、上記ステップ４０５にて受信した認証用入力情報のうちのユーザＩＤ（即ち、電話番号（電話端末識別情報））と、を中継サーバ装置２０へ送信する（図９の矢印９０６）。
次いで、ＣＰＵは、ステップ４３０に進み、接続状態情報を受信するまで待機する。
【０１１０】
一方、中継サーバ装置２０のＣＰＵは、図６にフローチャートにより示した接続状態情報取得プログラムを中継サーバ装置２０の起動時に実行するようになっている。
【０１１１】
具体的に述べると、中継サーバ装置２０のＣＰＵは、接続状態情報取得プログラムの処理を開始すると、ステップ６０５にて、認証成功識別情報及び電話端末識別情報を受信するまで待機する。この状態においては、中継サーバ装置２０は、連携サーバ装置３０から認証成功識別情報及び電話端末識別情報を受信する。
【０１１２】
従って、中継サーバ装置２０のＣＰＵは、ステップ６０５にて「Ｙｅｓ」と判定してステップ６１０に進み、受信した電話端末識別情報を含む接続状態情報要求を回線交換サーバ装置１０へ送信する（図９の矢印９０７）。
次いで、ＣＰＵは、ステップ６１５にて、接続状態情報を受信するまで待機する。
【０１１３】
一方、回線交換サーバ装置１０のＣＰＵは、図示しない接続状態情報送信プログラムを回線交換サーバ装置１０の起動時に実行するようになっている。具体的に述べると、回線交換サーバ装置１０のＣＰＵは、接続状態情報送信プログラムの処理を開始すると、接続状態情報要求を受信するまで待機する。
【０１１４】
この状態においては、回線交換サーバ装置１０は、中継サーバ装置２０から接続状態情報要求を受信する。従って、回線交換サーバ装置１０のＣＰＵは、接続状態情報要求に含まれる電話端末識別情報と同一の電話端末識別情報が接続識別情報と対応付けて回線交換サーバ装置１０の記憶装置に記憶されているか否かを判定する。
【０１１５】
いま、回線交換サーバ装置１０が第１の電話端末１１からの発呼信号を検出するとともに第２の電話端末１２からの応答信号を検出することにより、２つの電話端末１１，１２間で通話可能となるように第１の電話端末１１及び第２の電話端末１２を接続した場合を想定して説明を続ける。
【０１１６】
この場合、回線交換サーバ装置１０は、第１の電話端末１１及び第２の電話端末１２のそれぞれを識別する電話端末識別情報の組と、その接続を識別する接続識別情報と、を対応付けて回線交換サーバ装置１０の記憶装置に記憶させている。
【０１１７】
従って、回線交換サーバ装置１０のＣＰＵは、接続状態情報要求に含まれる電話端末識別情報と同一の電話端末識別情報が接続識別情報と対応付けて回線交換サーバ装置１０の記憶装置に記憶されていると判定する。
【０１１８】
次いで、回線交換サーバ装置１０のＣＰＵは、接続状態情報要求に含まれる電話端末識別情報と同一の電話端末識別情報と対応付けて記憶されている接続識別情報と、その接続識別情報に対応付けて記憶されている電話端末識別情報の組と、を接続状態情報として中継サーバ装置２０へ送信する（図９の矢印９０８）。
【０１１９】
なお、接続状態情報要求に含まれる電話端末識別情報と同一の電話端末識別情報が接続識別情報と対応付けて回線交換サーバ装置１０の記憶装置に記憶されていない場合、回線交換サーバ装置１０のＣＰＵは、非接続情報を接続状態情報として中継サーバ装置２０へ送信する。
【０１２０】
これにより、中継サーバ装置２０は、接続状態情報を回線交換サーバ装置１０から受信する。従って、中継サーバ装置２０のＣＰＵは、ステップ６１５にて「Ｙｅｓ」と判定してステップ６２０へ進み、受信した接続状態情報を連携サーバ装置３０へ送信する（図９の矢印９０９）。
その後、ＣＰＵは、ステップ６０５へ戻り、ステップ６０５〜ステップ６２０の処理を繰り返し実行する。
【０１２１】
これにより、連携サーバ装置３０は、中継サーバ装置２０から接続状態情報を受信する。従って、連携サーバ装置３０のＣＰＵは、ステップ４３０にて「Ｙｅｓ」と判定してステップ４３５に進み、接続状態情報が接続識別情報を含むか否かを判定する。
【０１２２】
この状態においては、接続状態情報が接続識別情報を含むので、ＣＰＵは、「Ｙｅｓ」と判定してステップ４４０に進み、受信した接続状態情報に含まれる接続識別情報及び電話端末識別情報の組を、接続確認情報として携帯電話端末３１へ送信する（図９の矢印９１０）。なお、接続状態情報が接続識別情報を含まない場合には、ＣＰＵは、ステップ４４５に進み、非接続情報を接続確認情報として携帯電話端末３１へ送信する。
また、ＣＰＵは、上記ステップ４１５にて認証失敗情報を受信した場合には、ステップ４５０に進み、認証失敗情報を接続確認情報として携帯電話端末３１へ送信する。
【０１２３】
そして、ＣＰＵは、ステップ４０５へ戻り、ステップ４０５〜ステップ４５０の処理を繰り返し実行する。
【０１２４】
これにより、携帯電話端末３１は、連携サーバ装置３０から接続確認情報を受信する。従って、携帯電話端末３１のＣＰＵは、ステップ３１５にて「Ｙｅｓ」と判定してステップ３２０に進み、接続確認情報が接続識別情報を含むか否かを判定する。
【０１２５】
この状態においては、接続確認情報が接続識別情報を含むので、ＣＰＵは、「Ｙｅｓ」と判定してステップ３２５に進み、カメラ部３１ａの状態を待機状態に設定する。次いで、ＣＰＵは、ステップ３３０にて、撮影指示がユーザＵ１により入力されるまで待機する。
【０１２６】
このように、携帯電話端末３１は、第１の電話端末１１と第２の電話端末１２とが接続されている場合にカメラ部３１ａの状態を待機状態に設定するように構成されている。これによれば、撮影が無駄に行われることを回避することができる。この結果、撮影が無駄に行われる場合と比較して、ユーザＵ１の手間を軽減することができる。
【０１２７】
そして、ユーザＵ１が撮影指示を入力すると、ＣＰＵは、ステップ３３０にて「Ｙｅｓ」と判定してステップ３３５に進み、撮影実行指示をカメラ部３１ａに送る。カメラ部３１ａは、ＣＰＵからの撮影実行指示に応じて、被写体を撮影することによりその被写体の画像を出力する（図９のステップ９１１、撮影工程）。
【０１２８】
次いで、ＣＰＵは、ステップ３４０〜ステップ３５０にて、上記ステップ３１０〜３２０と同様に、認証用入力情報を連携サーバ装置３０へ送信する（図９の矢印９１２）とともに、連携サーバ装置３０から接続確認情報を受信する（図９の矢印９１３）。
【０１２９】
この状態においては、上記ステップ３２０と同様に、接続確認情報は接続識別情報を含む（即ち、第１の電話端末１１と第２の電話端末１２との間の接続が維持されている）。従って、携帯電話端末３１のＣＰＵは、ステップ３５０にて「Ｙｅｓ」と判定してステップ３５５に進み、カメラ部３１ａから出力された画像と、上記ステップ３０５にて入力された認証用入力情報と、を連携サーバ装置３０へ送信する（図９の矢印９１４、画像送信工程）。このとき、ＣＰＵは、画像を、予め設定された送信サイズに分割し、分割した画像データを送信する。
【０１３０】
このように、携帯電話端末３１は、第１の電話端末１１と第２の電話端末１２とが接続されている場合に画像データを送信するように構成されている。これによれば、携帯電話端末３１が画像データを無駄に送信することを回避することができる。この結果、画像データが無駄に送信される場合と比較して、携帯電話端末３１から送信されるデータ量（通信量）を低減することができる。
【０１３１】
加えて、ＣＰＵは、上記ステップ３４５にて受信した接続確認情報に含まれる電話端末識別情報の組を表す画像をディスプレイに表示させる。なお、上記ステップ３１５又はステップ３４５にて受信した接続確認情報が非接続情報を含む場合には、ＣＰＵは、ステップ３６５に進み、認証用入力情報に含まれるユーザＩＤ（第１の電話番号ＴＥＬ１）が割り当てられた電話端末（即ち、第１の電話端末１１）と通話可能に接続されている電話端末が存在しない旨を表す画像をディスプレイに表示させる。
【０１３２】
これによれば、ユーザＵ１に、第１の電話端末１１が他の電話端末（本例では、第２の電話端末１２）と接続されていないことを認識させることができる。この結果、ユーザＵ１の利便性を向上させることができる。
【０１３３】
また、上記ステップ３１５又はステップ３４５にて受信した接続確認情報が認証失敗情報を含む場合には、ＣＰＵは、ステップ３７０に進み、認証が失敗した旨を表すメッセージを含む画像をディスプレイに表示させる。これによれば、ユーザＵ１に、入力された認証用入力情報に基づく認証が失敗したことを認識させることができる。この結果、ユーザＵ１の利便性を向上させることができる。
そして、ＣＰＵはこのプログラムの実行を終了する。
【０１３４】
一方、連携サーバ装置３０のＣＰＵは、図７にフローチャートにより示した画像中継プログラムを連携サーバ装置３０の起動時に実行するようになっている。
【０１３５】
具体的に述べると、連携サーバ装置３０のＣＰＵは、画像中継プログラムの処理を開始すると、ステップ７０５にて、画像及び認証用入力情報を受信するまで待機する。この状態においては、連携サーバ装置３０は、携帯電話端末３１から画像及び認証用入力情報を受信する。具体的には、連携サーバ装置３０は、携帯電話端末３１から送信された画像データを受信し、受信した画像データに基づいて分割前の画像を復元することにより、画像を受信する。
【０１３６】
従って、連携サーバ装置３０のＣＰＵは、ステップ７０５にて「Ｙｅｓ」と判定する。そして、ＣＰＵは、上記ステップ４１０〜ステップ４３５と同様に、ステップ７１０〜ステップ７３５の処理を実行する（図９の矢印９１５）。この状態においては、連携サーバ装置３０は、中継サーバ装置２０から認証成功識別情報（ステップ７１５）及び接続識別情報を含む接続状態情報（ステップ７３０）を受信する。
【０１３７】
従って、ＣＰＵは、ステップ７４０に進み、上記ステップ７０５にて受信した画像（共有画像）と、上記ステップ７１５にて受信した認証成功識別情報と、上記ステップ７３０にて受信した接続識別情報と、を中継サーバ装置２０へ送信する（図９の矢印９１６）。
【０１３８】
そして、ＣＰＵは、ステップ７０５へ戻り、ステップ７０５〜ステップ７４０の処理を繰り返し実行する。なお、上記ステップ７１５にて認証失敗情報を受信した場合、又は、上記ステップ７３０にて非接続情報を受信した場合には、ＣＰＵは、上記ステップ７４０の処理を実行することなくステップ７０５へ戻る。
【０１３９】
一方、中継サーバ装置２０のＣＰＵは、図８にフローチャートにより示した画像記憶処理プログラムを中継サーバ装置２０の起動時に実行するようになっている。
【０１４０】
具体的に述べると、中継サーバ装置２０のＣＰＵは、画像記憶処理プログラムの処理を開始すると、ステップ８０５にて、共有画像、認証成功識別情報及び接続識別情報を受信するまで待機する。この状態においては、中継サーバ装置２０は、連携サーバ装置３０から共有画像、認証成功識別情報及び接続識別情報を受信する。
【０１４１】
従って、中継サーバ装置２０のＣＰＵは、ステップ８０５にて「Ｙｅｓ」と判定してステップ８１０に進み、受信した共有画像の形式を変換する（図９のステップ９１７）。そして、ＣＰＵは、ステップ８１５に進み、変換した共有画像と、上記ステップ８０５にて受信した接続識別情報と、を対応付けて中継サーバ装置２０の記憶装置に記憶させる（図９のステップ９１８）。
そして、ＣＰＵは、ステップ８０５へ戻り、ステップ８０５〜ステップ８１５の処理を繰り返し実行する。
【０１４２】
このような状態において、更に、第１のクライアント装置２１のＣＰＵが画像共有プログラムを実行しているとともに、第２のクライアント装置２２のＣＰＵが画像共有プログラムを実行している状態を想定する。この場合、各クライアント装置２１，２２のＣＰＵは、ユーザにより認証用入力情報が入力されるまで待機する。
【０１４３】
その後、ユーザＵ１が第１のクライアント装置２１にユーザＩＤとしての第１の電話番号ＴＥＬ１と、第１のパスワードＰＳ１と、を入力し、一方、ユーザＵ２が第２のクライアント装置２２にユーザＩＤとしての第２の電話番号ＴＥＬ２と、第２のパスワードＰＳ２と、を入力した場合を想定して説明を続ける。なお、第１のクライアント装置２１に第１の電話番号ＴＥＬ１が入力されることにより、第１のクライアント装置２１と第１の電話端末１１とが対応づけられる。また、第２のクライアント装置２２に第２の電話番号ＴＥＬ２が入力されることにより、第２のクライアント装置２２と第２の電話端末１２とが対応づけられる。
【０１４４】
この場合、第１のクライアント装置２１のＣＰＵは、入力された第１の電話番号ＴＥＬ１及び第１のパスワードＰＳ１からなる認証用入力情報を受け付ける。第１のクライアント装置２１のＣＰＵは、受け付けた認証用入力情報を中継サーバ装置２０へ予め設定された時間が経過する毎に送信する。また、第２のクライアント装置２２のＣＰＵは、入力された第２の電話番号ＴＥＬ２及び第２のパスワードＰＳ２からなる認証用入力情報を受け付ける。第２のクライアント装置２２のＣＰＵは、受け付けた認証用入力情報を中継サーバ装置２０へ予め設定された時間が経過する毎に送信する。
【０１４５】
一方、中継サーバ装置２０のＣＰＵは、クライアント装置２１，２２から認証用入力情報を受信すると、受信した認証用入力情報を含む認証処理要求を回線交換サーバ装置１０へ送信する。そして、中継サーバ装置２０のＣＰＵは、回線交換サーバ装置１０から認証結果を受信し、受信した認証結果が認証成功情報である場合、認証用入力情報に含まれる電話端末識別情報を含む接続状態情報要求を回線交換サーバ装置１０へ送信する。
【０１４６】
次いで、中継サーバ装置２０のＣＰＵは、回線交換サーバ装置１０から接続状態情報を受信し、受信した接続状態情報が接続識別情報を含む場合、その接続識別情報を受信する基となった認証用入力情報を送信してきたクライアント装置２１，２２へ、その接続識別情報と対応付けて記憶されている共有画像を送信する（共有画像送信工程）。
【０１４７】
各クライアント装置２１，２２のＣＰＵは、中継サーバ装置２０から共有画像を受信すると、受信した共有画像をディスプレイに表示させる。このように、携帯電話端末３１から送信された画像が、第１のクライアント装置２１及び第２のクライアント装置２２のそれぞれにて表示される。これにより、ユーザＵ１が撮影した画像をユーザＵ２にも閲覧させることができる。
【０１４８】
その後、各クライアント装置２１，２２のＣＰＵは、共有画像を編集するための編集情報がユーザにより入力されるまで待機する。
【０１４９】
そして、ユーザＵ１が第１のクライアント装置２１に編集情報を入力した場合を想定して説明を続ける。
この場合、第１のクライアント装置２１のＣＰＵは、入力された編集情報を受け付け、受け付けた編集情報に基づいて編集された共有画像をディスプレイに表示させる。更に、第１のクライアント装置２１のＣＰＵは、受け付けた編集情報と、認証用入力情報と、を中継サーバ装置２０へ送信する（編集情報送信工程）。
【０１５０】
一方、中継サーバ装置２０のＣＰＵは、第１のクライアント装置２１から編集情報及び認証用入力情報を受信すると、受信した認証用入力情報を含む認証処理要求を回線交換サーバ装置１０へ送信する。そして、中継サーバ装置２０のＣＰＵは、回線交換サーバ装置１０から認証結果を受信し、受信した認証結果が認証成功情報である場合、認証用入力情報に含まれる電話端末識別情報を含む接続状態情報要求を回線交換サーバ装置１０へ送信する。
【０１５１】
次いで、中継サーバ装置２０のＣＰＵは、回線交換サーバ装置１０から接続状態情報を受信し、受信した接続状態情報が接続識別情報を含む場合、その接続識別情報と、上記受信した編集情報と、を対応付けて中継サーバ装置２０の記憶装置に記憶させる。
【０１５２】
また、中継サーバ装置２０のＣＰＵは、第２のクライアント装置２２から認証用入力情報を受信すると、受信した認証用入力情報を含む認証処理要求を回線交換サーバ装置１０へ送信する。そして、中継サーバ装置２０のＣＰＵは、回線交換サーバ装置１０から認証結果を受信し、受信した認証結果が認証成功情報である場合、認証用入力情報に含まれる電話端末識別情報を含む接続状態情報要求を回線交換サーバ装置１０へ送信する。
【０１５３】
次いで、中継サーバ装置２０のＣＰＵは、回線交換サーバ装置１０から接続状態情報を受信し、受信した接続状態情報が接続識別情報を含む場合、その接続識別情報を受信する基となった認証用入力情報を送信してきたクライアント装置である第２のクライアント装置２２へ、その接続識別情報と対応付けて記憶されている編集情報を送信する（編集情報転送工程）。
【０１５４】
そして、第２のクライアント装置２２のＣＰＵは、中継サーバ装置２０から編集情報を受信すると、受信した編集情報に基づいて編集された共有画像をディスプレイに表示させる（共有画像表示工程）。このように、第１のクライアント装置２１にて編集された共有画像が第２のクライアント装置２２においても表示される。これによれば、第１のクライアント装置２１のユーザＵ１が共有画像を編集した場合に、第２のクライアント装置２２のユーザＵ２も略同時に編集後の共有画像を閲覧することができる。即ち、第１のクライアント装置２１のユーザＵ１と、第２のクライアント装置２２のユーザＵ２と、が略同時に同一の画像を閲覧することができる。
【０１５５】
一方、中継サーバ装置２０のＣＰＵは、回線交換サーバ装置１０から非接続情報を受信した場合、その非接続情報を受信する基となった電話端末識別情報に係る接続識別情報と対応付けて記憶されている共有画像及び編集情報を、記憶装置から消去する。
【０１５６】
これにより、第１の電話端末１１と第２の電話端末１２との間の接続が解除された時点以降に、共有画像及び編集情報が中継サーバ装置２０に記憶された状態が維持されることを回避することができる。
【０１５７】
以上、説明したように、本発明による画像共有システムの実施形態によれば、携帯電話端末３１により撮影された被写体の画像を共有画像として用いることができる。従って、ユーザＵ１は、カメラ等により撮影した画像を第１のクライアント装置２１へ記憶させるとともに、記憶された画像を第１のクライアント装置２１から中継サーバ装置２０へ送信させるための操作を行う必要がない。この結果、画像共有システム１に共有画像を新たに登録する際のユーザＵ１の手間を軽減することができる。即ち、ユーザＵ１の利便性を向上させることができる。
【０１５８】
なお、本発明は上記実施形態に限定されることはなく、本発明の範囲内において種々の変形例を採用することができる。例えば、上記実施形態においては、認証用入力情報のうちのユーザＩＤは、電話番号であったが、電話番号以外の任意の文字列であってもよい。この場合、回線交換サーバ装置１０は、電話番号と、ユーザＩＤとしての文字列と、パスワードとしての文字列と、を対応付けて記憶することが好適である。また、回線交換サーバ装置１０以外のサーバ装置が、電話番号と、ユーザＩＤとしての文字列と、を対応付けて記憶していてもよい。
【０１５９】
また、上記実施形態は、予め設定された時間が経過する毎に、各クライアント装置２１，２２が認証用入力情報を中継サーバ装置２０へ送信することにより、各クライアント装置２１，２２が中継サーバ装置２０から共有画像及び編集情報を受信するように構成されていた。ところで、上記実施形態は、中継サーバ装置２０が、予め設定された時間毎に、又は、共有画像又は編集情報を新たに記憶した時に、記憶されている共有画像及び編集情報を各クライアント装置２１，２２へ送信するように構成されていてもよい。この場合、中継サーバ装置２０は、各クライアント装置２１，２２から認証用入力情報を受信した場合に、その認証用入力情報と、その認証用入力情報を送信してきたクライアント装置２１，２２のＩＰ（Ｉｎｔｅｒｎｅｔ  Ｐｒｏｔｏｃｏｌ）アドレスと、を対応付けて記憶することが好適である。
【０１６０】
また、上記実施形態において、画像共有システム１は、携帯電話端末３１と第１の電話端末１１との両方を含んでいたが、携帯電話端末３１のみを含んでいてもよい。この場合、携帯電話端末３１は、ユーザＵ１により、第１の電話端末１１と同様の電話端末としても用いられる。
【０１６１】
また、上記実施形態において、画像共有システム１は、２つのクライアント装置２１，２２において画像を共有可能に構成されていたが、３つ以上のクライアント装置において画像を共有可能に構成されていてもよい。
【０１６２】
更に、上記実施形態において、携帯電話端末３１は、画像データを送信する前に第１の電話端末１１と第２の電話端末１２とが接続されているか否かを確認するように構成されていたが、第１の電話端末１１と第２の電話端末１２とが接続されているか否かを確認することなく画像データを送信するように構成されていてもよい。
【０１６３】
また、上記実施形態において、携帯電話端末３１は、カメラ部３１ａの状態を待機状態に設定する前に第１の電話端末１１と第２の電話端末１２とが接続されているか否かを確認するように構成されていたが、第１の電話端末１１と第２の電話端末１２とが接続されているか否かを確認することなくカメラ部３１ａの状態を待機状態に設定するように構成されていてもよい。
【０１６４】
また、上記実施形態においては、通信端末は、携帯電話端末３１であったが、ＰＤＡ（Ｐｅｒｓｏｎａｌ  Ｄａｔａ  Ａｓｓｉｓｔａｎｃｅ）、スマートフォン、ＰＨＳ（Ｐｅｒｓｏｎａｌ  Ｈａｎｄｙｐｈｏｎｅ  Ｓｙｓｔｅｍ）又はゲーム機等であってもよい。なお、上記実施形態における画像は、静止画像であってもよく、動画像であってもよい。
【０１６５】
また、画像共有システム１は、携帯電話端末３１と第１のクライアント装置２１との両方を含んでいたが、携帯電話端末３１のみを含んでいてもよい。この場合、携帯電話端末３１は、ユーザＵ１により、第１のクライアント装置２１と同様のクライアント装置としても用いられる。
【０１６６】
更に、上記実施形態において、中継サーバ装置２０及び連携サーバ装置３０は、互いに独立した２つのサーバ装置であった。ところで、上記実施形態は、中継サーバ装置２０及び連携サーバ装置３０に代えて、中継サーバ装置２０の機能及び連携サーバ装置３０の機能を有する１つのサーバ装置を備えていてもよい。
【産業上の利用可能性】
【０１６７】
本発明は、複数のクライアント装置において同一の画像を表示する画像共有システム、及び、画像共有システムを用いる電話会議システム等に適用可能である。
【図面の簡単な説明】
【０１６８】
【図１】本発明の実施形態に係る画像共有システムの概略構成を表す図である。
【図２】図１に示した画像共有システムの機能の概略を表すブロック図である。
【図３】図１に示した携帯電話端末のＣＰＵが実行する画像送信プログラムを示したフローチャートである。
【図４】図１に示した連携サーバ装置のＣＰＵが実行する接続確認情報送信プログラムを示したフローチャートである。
【図５】図１に示した中継サーバ装置のＣＰＵが実行する認証処理プログラムを示したフローチャートである。
【図６】図１に示した中継サーバ装置のＣＰＵが実行する接続状態情報取得プログラムを示したフローチャートである。
【図７】図１に示した連携サーバ装置のＣＰＵが実行する画像中継プログラムを示したフローチャートである。
【図８】図１に示した中継サーバ装置のＣＰＵが実行する画像記憶処理プログラムを示したフローチャートである。
【図９】図１に示した画像共有システムにおいて授受されるデータを示したシーケンス図である。
【符号の説明】
【０１６９】
１      画像共有システム
１０    回線交換サーバ装置
１１    第１の電話端末
１２    第２の電話端末
２０    中継サーバ装置
２１    第１のクライアント装置
２２    第２のクライアント装置
３０    連携サーバ装置
３１    携帯電話端末
３１ａ  カメラ部
４１    認証用入力情報送信部
４２    接続確認情報出力部
４３    画像送信部
５１    認証用入力情報送信部
５２    電話端末識別情報送信部
５３    接続確認情報送信部
５４    共有画像送信部
６１    要求送信部
６２    認証結果受信部
６３    接続状態情報受信部
６４    共有画像中継部
６５    編集情報転送部
７１    認証結果送信部
７２    接続制御部
７３    接続状態情報送信部
８１    共有画像表示部
８２    編集情報処理部
【図１】
0004552075.tif 000002
【図２】
0004552075.tif 000003
【図３】
0004552075.tif 000004
【図４】
0004552075.tif 000005
【図５】
0004552075.tif 000006
【図６】
0004552075.tif 000007
【図７】
0004552075.tif 000008
【図８】
0004552075.tif 000009
【図９】
0004552075.tif 000010